(57)【要約】【課題】予めのユーザ登録を必要とすることなく、小売店でのデジタルコンテンツの販売を可能にし得る、データ転送システム、及びデータ転送方法を提供する。【解決手段】データ転送システム１００は、撮像装置３１を備えた端末装置３０に撮像装置３１を介してデータを転送するためのシステムであり、送信サーバ２０と、データ転送装置１０とを備えている。送信サーバ２０は、端末装置３０のユーザが、転送の対象となるデータを購入したことを検出した場合に、データ転送装置１０にデータを送信する。データ転送装置１０は、光信号となる光を出射する光源１１と、光源１１から出射された光を拡散させる拡散部材１２と、光源１１による光の出射を制御して、送信サーバ２０から送信されてきたデータを光信号として出射させる光通信制御部１３とを備えている。【選択図】図１
2018018268.tif 000002
【特許請求の範囲】
【請求項１】
撮像装置を備えた端末装置に前記撮像装置を介してデータを転送するためのシステムであって、
送信サーバと、データ転送装置と、を備え、
前記送信サーバは、前記端末装置のユーザが、転送の対象となるデータを購入したことを検出した場合に、前記データ転送装置に前記データを送信し、
前記データ転送装置は、
光信号となる光を出射する、光源と、
前記光源から出射された光を拡散させる、拡散部材と、
前記光源による光の出射を制御して、前記送信サーバから送信されてきた前記データを光信号として出射させる、光通信制御部と、
を備えている、ことを特徴とするデータ転送システム。
【請求項２】
前記送信サーバは、
前記端末装置のユーザがコンテンツデータを購入した場合に、前記コンテンツデータを利用するための認証情報を作成し、作成した認証情報を含むデータを、前記転送対象となるデータとして、前記データ転送装置に送信する、
請求項１に記載のデータ転送システム。
【請求項３】
前記送信サーバは、店舗での会計処理を行なう会計システムに接続されており、前記会計システムから、前記ユーザが前記店舗においてコンテンツデータを購入したことが通知された場合に、前記コンテンツデータを利用するための認証情報を作成し、作成した認証情報を含むデータを、前記転送対象となるデータとして、前記データ転送装置に送信する、
請求項２に記載のデータ転送システム。
【請求項４】
撮像装置を備えた端末装置に前記撮像装置を介してデータを転送するための方法であって、
（ａ）送信サーバにおいて、端末装置のユーザが、転送の対象となるデータを購入したことを検出した場合に、前記送信サーバを用いて、データ転送装置に前記データを送信する、ステップと、
（ｂ）光信号となる光を出射する光源と、前記光源から出射された光を拡散させる拡散部材とを備える、データ転送装置を用いて、前記光源による光の出射を制御して、前記送信サーバから送信されてきた前記データを光信号として出射させる、ステップと、
を有する、ことを特徴とするデータ転送方法。
【請求項５】
前記（ａ）のステップにおいて、前記端末装置のユーザがコンテンツデータを購入した場合に、前記送信サーバを用いて、前記コンテンツデータを利用するための認証情報を作成し、作成した認証情報を含むデータを、前記転送対象となるデータとして、前記データ転送装置に送信する、
請求項４に記載のデータ転送方法。
【請求項６】
前記送信サーバが、店舗での会計処理を行なう会計システムに接続されており、
前記（ａ）のステップにおいて、前記会計システムから、前記ユーザが前記店舗においてコンテンツデータを購入したことが通知された場合に、前記送信サーバを用いて、前記コンテンツデータを利用するための認証情報を作成し、作成した認証情報を含むデータを、前記転送対象となるデータとして、前記データ転送装置に送信する、
請求項５に記載のデータ転送方法。
【発明の詳細な説明】
【技術分野】
【０００１】
本発明は、ユーザの端末装置に光通信によってデータを転送するための、データ転送システム及びデータ転送方法に関する。
【背景技術】
【０００２】
近年、ネットワークの通信速度の向上により、音楽をはじめ、新聞、雑誌といった従来紙を媒体として提供されていたコンテンツも、デジタル化され、ネットワークを通じて販売されることが多くなっている。
【０００３】
但し、一般に、デジタルコンテンツを購入するためには、ユーザは、予め、販売元との間で購買契約を結び、自身のクレジットカードを登録する等する必要がある。このため、ユーザによっては、面倒と感じ、デジタルコンテンツの購入をためらう場合がある。従って、コンビニエンスストア、駅のキオスクといった小売店で、ユーザが、予めユーザ登録をすることなく、デジタルコンテンツを購入できるようになると、便利である。
【０００４】
例えば、特許文献１は、光通信を用いてユーザの端末装置にデジタルコンテンツを提供するシステムを提案している。具体的には、特許文献１に開示されたシステムは、端末装置に接続された光受信機と、施設に設置された光送信機とを備えている。
【０００５】
この特許文献１に開示されたシステムでは、ユーザが光送信機に光受信機をかざすと、端末装置は、光受信機を介して、光通信によってＩＤ情報を取得する。また、端末装置は、取得したＩＤ情報に基づいて、対応するコンテンツを選択し、これを再生する。また、このシステムにおいて、コンテンツデータは、端末装置に予め記憶されているか、ネットワーク上のコンテンツサーバからダウンロードされる。
【０００６】
特許文献１に開示されたシステムによれば、ユーザは、光受信機を光送信機にかざすだけで、必要なコンテンツデータを手軽に取得することができる。従って、当該システムを、小売店でのデジタルコンテンツの販売に適用すれば、ユーザは手軽に、音楽、新聞、雑誌等のデジタルコンテンツを購入することができると考えられる。
【先行技術文献】
【特許文献】
【０００７】
【特許文献１】特開２０１４−０２７６４３号公報
【発明の概要】
【発明が解決しようとする課題】
【０００８】
しかしながら、上記特許文献１に開示されたシステムは、美術館等で、展示物を説明するコンテンツを見学者に提供することを目的としたシステムであり、小売店での使用を前提としていない。このため、上記特許文献１に開示されたシステムにおいては、コンテンツの課金についての考慮は一切なされておらず、当該システムを、小売店でのデジタルコンテンツの販売に適用することは困難である。
【０００９】
本発明の目的の一例は、上記問題を解消し、予めのユーザ登録を必要とすることなく、小売店でのデジタルコンテンツの販売を可能にし得る、データ転送システム、及びデータ転送方法を提供することにある。
【課題を解決するための手段】
【００１０】
上記目的を達成するため、本発明の一側面におけるデータ転送システムは、撮像装置を備えた端末装置に前記撮像装置を介してデータを転送するためのシステムであって、
送信サーバと、データ転送装置と、を備え、
前記送信サーバは、前記端末装置のユーザが、転送の対象となるデータを購入したことを検出した場合に、前記データ転送装置に前記データを送信し、
前記データ転送装置は、
光信号となる光を出射する、光源と、
前記光源から出射された光を拡散させる、拡散部材と、
前記光源による光の出射を制御して、前記送信サーバから送信されてきた前記データを光信号として出射させる、光通信制御部と、
を備えている、ことを特徴とする。
【００１１】
また、上記目的を達成するため、本発明の一側面におけるデータ転送方法は、撮像装置を備えた端末装置に前記撮像装置を介してデータを転送するための方法であって、
（ａ）送信サーバにおいて、端末装置のユーザが、転送の対象となるデータを購入したことを検出した場合に、前記送信サーバを用いて、データ転送装置に前記データを送信する、ステップと、
（ｂ）光信号となる光を出射する光源と、前記光源から出射された光を拡散させる拡散部材とを備える、データ転送装置を用いて、前記光源による光の出射を制御して、前記送信サーバから送信されてきた前記データを光信号として出射させる、ステップと、
を有する、ことを特徴とする。
【発明の効果】
【００１２】
以上のように、本発明によれば、予めのユーザ登録を必要とすることなく、小売店でのデジタルコンテンツの販売を可能にすることができる。
【図面の簡単な説明】
【００１３】
【図１】図１は、本発明の実施の形態におけるデータ転送システムの概略構成を示すブロック図である。
【図２】図２は、本発明の実施の形態におけるデータ転送システムの具体的構成を示すブロック図である。
【図３】図３は、本発明の実施の形態におけるデータ転送システムの動作を示すフロー図である。
【図４】図４は、本発明の実施の形態におけるデータ転送装置又は送信サーバを実現するコンピュータの一例を示すブロック図である。
【発明を実施するための形態】
【００１４】
（実施の形態）
以下、本発明の実施の形態における、データ転送システム、及びデータ転送方法について、図１〜図４を参照しながら説明する。
【００１５】
［システム構成］
最初に、図１を用いて、本実施の形態におけるデータ転送システムの構成について説明する。図１は、本発明の実施の形態におけるデータ転送システムの概略構成を示すブロック図である。
【００１６】
図１に示す、本実施の形態におけるデータ転送システム１００は、撮像装置３１を備えた端末装置３０に撮像装置３１を介してデータを転送するシステムである。図１に示すように、データ転送システム１００は、送信サーバ２０とデータ転送装置１０とを備えている。
【００１７】
送信サーバ２０は、端末装置３０のユーザが、転送の対象となるデータを購入したことを検出した場合に、データ転送装置１０にデータを送信する。
【００１８】
データ転送装置１０は、光源１１と、拡散部材１２と、光通信制御部１３とを備えている。光源１１は、光信号となる光を出射する。拡散部材１２は、光源１１から出射された光を拡散させる。また、光通信制御部１３は、光源１１による光の出射を制御して、送信サーバ２０から送信されてきたデータを光信号として出射させる。
【００１９】
このように、端末装置２０は、内蔵している撮像装置３１を介して、データ転送装置１０との間で、コンテンツ購入のためのデータ通信を行なうことができる。そして、データ通信は、認証処理等を必要とすることなく、ユーザがコンテンツを購入したことのみを条件に開始できる。このため、本実施の形態によれば、予めのユーザ登録を必要とすることなく、小売店でのデジタルコンテンツの販売を可能にすることができる。
【００２０】
続いて、図２を用いて、本実施の形態におけるデータ転送システムの構成について更に具体的に説明する。図２は、本発明の実施の形態におけるデータ転送システムの具体的構成を示すブロック図である。
【００２１】
図２に示すように、本実施の形態においては、データ転送システム１００は、店舗でのコンテンツデータの販売に用いられている。このため、データ転送システム１００を構成する送信サーバ２０は、店舗での会計処理を行なう会計システム２００に接続されている。
【００２２】
また、会計システム２００は、レジスターを含む販売管理システムである。会計システム２００は、店舗において、ユーザが、現金、電子マネー、又はクレジットカード等によって支払を行なうと、会計処理を行なう。更に、このとき、会計システム２００は、送信サーバ２０に対して、ユーザが店舗においてコンテンツデータを購入したことを通知する。この場合、送信サーバ２０は、この通知からコンテンツデータの購入を検出する。
【００２３】
また、本実施の形態では、送信サーバ２０は、端末装置３０のユーザがコンテンツデータを購入した場合に、コンテンツデータを利用するための認証情報を作成する。そして、送信サーバ２０は、作成した認証情報を含むデータを、転送対象となるデータとして、データ転送装置１０に送信する。つまり、データ転送装置１０は、端末装置３０が、所定の位置に配置されると、光通信によって、この認証情報を含むデータを送信する。
【００２４】
また、本実施の形態では、端末装置３０は、撮像装置３１に加えて、データ処理部３２と、表示部３３とを備えている。データ処理部３２は、撮像装置３１で受光された光信号から、認証情報を含むデータを取得する。
【００２５】
そして、データ処理部３２は、取得したデータを用いて、外部のコンテンツサーバ３００にアクセスし、コンテンツサーバ３００からコンテンツデータを取得し、取得したコンテンツデータを再生して、表示部３３にコンテンツを表示させる。
【００２６】
また、図２には図示していないが、データ転送装置１０は、端末装置３０を配置可能なフレームを備えていても良い。この場合、拡散部材１２から出射される拡散光の出射面と、撮像装置３１の受光面との距離を一定に保持できるので、光通信を安定して行なう事が可能となる。
【００２７】
［システム動作］
次に、本発明の実施の形態におけるデータ転送システム１００の動作について図３を用いて説明する。図３は、本発明の実施の形態におけるデータ転送システムの動作を示すフロー図である。以下の説明においては、適宜図１及び図２を参酌する。また、本実施の形態では、データ転送システム１００を動作させることによって、データ転送方法が実施される。よって、本実施の形態におけるデータ転送方法の説明は、以下のデータ転送システム１００の動作説明に代える。
【００２８】
図３に示すように、最初に、送信サーバ２０は、会計システム２００から、ユーザが店舗においてコンテンツデータを購入したことが通知されると、この通知からコンテンツデータの購入を検出する（ステップＡ１）。
【００２９】
次に、送信サーバ２０は、ユーザが購入したコンテンツデータを利用するための認証情報を作成する（ステップＡ２）。認証情報は、ユーザが、端末装置３０を介して、コンテンツサーバ３００からコンテンツデータをダウンロードする際に、コンテンツサーバ３００から求められるアカウント及びパスワードを含んでいる。
【００３０】
次に、送信サーバ２０は、ステップＡ２で作成した認証情報を含むデータを、データ転送装置１０に送信する（ステップＡ３）。
【００３１】
次に、データ転送装置１０において、光通信制御部１３は、ステップＡ３で送信されてきたデータを受信する（ステップＡ４）。そして、光通信制御部１３は、それに備えれているパイロットランプ、表示画面等によって、ユーザに対してデータ通信が可能となっていることを提示する。
【００３２】
次に、ユーザが、端末装置３０を所定の位置に配置すると、光通信制御部１３は、光源１１による光の出射を制御して、光源１１によって、ステップＡ４で受信したデータを光信号として出射させる（ステップＡ５）。これにより、、光通信によるデータ転送が実行される。
【００３３】
ステップＡ５によるデータ転送が完了すると、データ転送装置１０における処理は終了する。この後、端末装置３０において、データが取得されると、データ処理部３２は、取得したデータを用いて、外部のコンテンツサーバ３００にアクセスし、コンテンツサーバ３００からコンテンツデータを取得する。そして、データ処理部３２は、取得したコンテンツデータを再生して、表示部３３にコンテンツを表示させる。
【００３４】
［実施の形態による効果］
以上のように、本実施の形態では、ユーザがコンテンツを店頭で購入し、端末装置３０を所定の位置に配置すると、拡散部材１２で拡散された光が撮像装置３１の撮像面に入射して、データ通信が行なわれ、ユーザがコンテンツを視聴可能な状態となる。本実施の形態によれば、ユーザは、ユーザ登録等の煩わしい手続を行なうことなく、店頭で新聞、雑誌を買うようにして、デジタルコンテンツを購入することができる。
【００３５】
また、本実施の形態におけるデータ転送装置１０は、光通信が必要とされるあらゆる用途に利用できる。例えば、データ転送装置１０は、アーケード用ゲーム装置、カラオケ用装置、パチンコ装置、スロット装置等の遊戯装置から、プレイデータを転送する場合に用いることができる。また、データ転送装置１０は、スーパー、ドラッグストア等の量販店において、支払後の領収書の電子データを受け渡すために用いることもできる。
【００３６】
更に、例えば、店舗の売場に、データ転送装置１０を設置しておき、ユーザが、売場で選択した商品のデータを、データ出力装置から端末装置へと受け取れるようにすれば、ユーザは商品カゴを用いることなく買い物を行なうことができる。
【００３７】
また、コインロッカーにデータ転送装置１０を配置すれば、キーとして物理的なキーを用いる代わりに、ユーザの端末装置にデジタルキーを送信することもできる。また、この態様では、コインロッカーの荷物を第三者に渡したい場合に、デジタルキーを第三者に送信すれば良いため、ロッカーを用いた荷物の受け渡しが可能となる。
【００３８】
［プログラム］
本実施の形態は、プログラムを用いて実現できる。具体的には、コンピュータに、図３に示すステップＡ１〜Ａ３を実行させるプログラムをインストールし、実行することによって、送信サーバ２０を実現することができる。この場合、プログラムをインストールされたコンピュータは、送信サーバ２０として機能する。
【００３９】
また、コンピュータに、図３に示すステップＡ４及びＡ５を実行させるプログラムをインストールし、実行することによって、データ転送装置１０を実現することができる。この場合、プログラムをインストールされたコンピュータのＣＰＵ（Central Processing Unit）は、光通信制御部１３として機能し、処理を行なう。但し、この場合、コンピュータには、光源が接続されているか、内蔵されている必要がある。
【００４０】
ここで、上述のプログラムを実行することによって、送信サーバ２０又はデータ転送装置１０を実現するコンピュータについて図４を用いて説明する。図４は、本発明の実施の形態におけるデータ転送装置又は送信サーバを実現するコンピュータの一例を示すブロック図である。
【００４１】
図４に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００４２】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００４３】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００４４】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００４５】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００４６】
また、本実施の形態におけるデータ転送装置１０及び送信サーバ２０は、プログラムがインストールされたコンピュータではなく、各部に対応したハードウェアを用いることによっても実現可能である。更に、データ転送装置１０及び送信サーバ２０は、一部がプログラムで実現され、残りの部分がハードウェアで実現されていてもよい。
【００４７】
上述した実施の形態の一部又は全部は、以下に記載する（付記１）〜（付記１０）によって表現することができるが、以下の記載に限定されるものではない。
【００４８】
（付記１）
撮像装置を備えた端末装置に前記撮像装置を介してデータを転送するためのシステムであって、
送信サーバと、データ転送装置と、を備え、
前記送信サーバは、前記端末装置のユーザが、転送の対象となるデータを購入したことを検出した場合に、前記データ転送装置に前記データを送信し、
前記データ転送装置は、
光信号となる光を出射する、光源と、
前記光源から出射された光を拡散させる、拡散部材と、
前記光源による光の出射を制御して、前記送信サーバから送信されてきた前記データを光信号として出射させる、光通信制御部と、
を備えている、ことを特徴とするデータ転送システム。
【００４９】
（付記２）
前記送信サーバは、
前記端末装置のユーザがコンテンツデータを購入した場合に、前記コンテンツデータを利用するための認証情報を作成し、作成した認証情報を含むデータを、前記転送対象となるデータとして、前記データ転送装置に送信する、
付記１に記載のデータ転送システム。
【００５０】
（付記３）
前記送信サーバは、店舗での会計処理を行なう会計システムに接続されており、前記会計システムから、前記ユーザが前記店舗においてコンテンツデータを購入したことが通知された場合に、前記コンテンツデータを利用するための認証情報を作成し、作成した認証情報を含むデータを、前記転送対象となるデータとして、前記データ転送装置に送信する、
付記２に記載のデータ転送システム。
【００５１】
（付記４）
撮像装置を備えた端末装置に前記撮像装置を介してデータを転送するための装置であって、
光信号となる光を出射する、光源と、
前記光源から出射された光を拡散させる、拡散部材と、
前記光源による光の出射を制御して、転送対象となるデータを光信号として出射させる、光通信制御部と、
を備えている、ことを特徴とするデータ転送装置。
【００５２】
（付記５）
前記転送対象となるデータが、前記端末装置のユーザによって購入されたコンテンツデータを利用するための認証情報を含んでいる、
付記４に記載のデータ転送装置。
【００５３】
（付記６）
撮像装置を備えた端末装置に前記撮像装置を介してデータを転送するための方法であって、
（ａ）送信サーバにおいて、端末装置のユーザが、転送の対象となるデータを購入したことを検出した場合に、前記送信サーバを用いて、データ転送装置に前記データを送信する、ステップと、
（ｂ）光信号となる光を出射する光源と、前記光源から出射された光を拡散させる拡散部材とを備える、データ転送装置を用いて、前記光源による光の出射を制御して、前記送信サーバから送信されてきた前記データを光信号として出射させる、ステップと、
を有する、ことを特徴とするデータ転送方法。
【００５４】
（付記７）
前記（ａ）のステップにおいて、前記端末装置のユーザがコンテンツデータを購入した場合に、前記送信サーバを用いて、前記コンテンツデータを利用するための認証情報を作成し、作成した認証情報を含むデータを、前記転送対象となるデータとして、前記データ転送装置に送信する、
付記６に記載のデータ転送方法。
【００５５】
（付記８）
前記送信サーバが、店舗での会計処理を行なう会計システムに接続されており、
前記（ａ）のステップにおいて、前記会計システムから、前記ユーザが前記店舗においてコンテンツデータを購入したことが通知された場合に、前記送信サーバを用いて、前記コンテンツデータを利用するための認証情報を作成し、作成した認証情報を含むデータを、前記転送対象となるデータとして、前記データ転送装置に送信する、
付記７に記載のデータ転送方法。
【００５６】
（付記９）
コンピュータによって、撮像装置を備えた端末装置に前記撮像装置を介してデータを転送するためのプログラムであって、
前記コンピュータに、
光源による光の出射を制御して、転送対象となるデータを光信号として出射させる、ステップを実行させる、プログラム。
【００５７】
（付記１０）
前記転送対象となるデータが、前記端末装置のユーザによって購入されたコンテンツデータを利用するための認証情報を含んでいる、
付記９に記載のプログラム。
【産業上の利用可能性】
【００５８】
以上のように、本発明によれば、予めのユーザ登録を必要とすることなく、小売店でのデジタルコンテンツの販売を可能にすることができる。本発明は、デジタルコンテンツの販売が求められるあらゆる分野に有用である。
【符号の説明】
【００５９】
１０  データ転送装置
１１  光源
１２  拡散部材
１３  光通信制御部
２０  送信サーバ
３０  端末装置
３１  撮像装置
３２  データ処理部
３３  表示部
１００  データ転送システム
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
２００  会計システム
３００  コンテンツサーバ
【図１】
2018018268.tif 000003
【図２】
2018018268.tif 000004
【図３】
2018018268.tif 000005
【図４】
2018018268.tif 000006